(57)【特許請求の範囲】
【請求項１】
２つのポンプ付き容器と、これら２つのポンプ付き容器をそれぞれ取り出し可能に収容するケースとを具え、前記ポンプ付き容器は、液状物が収容される容器本体と、この容器本体に組み付けられるポンプユニットとをそれぞれ具え、このポンプユニットは、前記ケースの外に露出し、かつ前記容器本体に収容された液状物を吐出するための吐出口が形成されたポンプヘッドを有し、このポンプヘッドを押圧することによって前記容器本体に収容された液状物を前記吐出口から吐出させる容器ユニットであって、
前記ポンプ付き容器は、相互に１２０度隔てて交差する３つの対称軸面を持った輪郭形状を有すると共に前記吐出口が１つの対称軸面上にあり、
前記ケースは、前記２つのポンプ付き容器の各吐出口が相互に近接し、かつこれら吐出口をそれぞれ通る２つの前記対称軸面のなす角が６０度となるように、前記２つのポンプ付き容器の収容位置を規制し得る形状の内壁を有することを特徴とする容器ユニット。
【請求項２】
前記ケースに収容状態にある前記２つのポンプ付き容器の外周面の一部が相互に接触状態にあることを特徴とする請求項１に記載の容器ユニット。
【請求項３】
前記ポンプヘッドは、その押圧面に形成されて前記吐出口の位置を示す目印をさらに有することを特徴とする請求項１に記載の容器ユニット。
【請求項４】
前記目印が滑り止めの機能を有することを特徴とする請求項３に記載の容器ユニット。
【請求項５】
前記ケースに対して取り外し可能に嵌合され、このケースから突出する前記ポンプ付き容器の露出部を覆うキャップをさらに具えたことを特徴とする請求項１に記載の容器ユニット。
【請求項６】
前記容器本体は、収容された液状物に関連付けて予め設定された色に着色され、前記ケースが透明または半透明の材料にて形成されていることを特徴とする請求項１に記載の容器ユニット。
【請求項７】
一方の前記ポンプ付き容器に収容された液状物が使用者の肌質に応じた基礎化粧液であり、他方の前記ポンプ付き容器に収容された液状物が基礎化粧液か、基礎化粧液中に含まれる特定成分の有効性を増大または低減させる機能調整液か、使用者の肌に対する特定のケアを目的とした美容液であることを特徴とする請求項１に記載の容器ユニット。
【発明の詳細な説明】
【技術分野】
【０００１】
本発明は、２種類の液状物を同時に所定量ずつ吐出し得る容器ユニットに関する。
【背景技術】
【０００２】
肌の手入れに関する基礎化粧は、通常、メーキャップを落とすクレンジングと、クレンジング後の洗顔と、洗顔後の化粧水や化粧乳液などの化粧液の使用と、ホワイトニング（美白），ニキビ防止，リンクルリペア（しわ・たるみ取り）などの特定のケアを目的とした美容液の使用とが含まれる。化粧液は、季節の変化などの外的要因やホルモンバランスの変化などの内的要因に伴う肌質の変化に応じて適切なものを使い分けることが好ましく、また美容液も使用者の要求に応じて使われることが多い。このようなことから、著しく多種類の化粧液や美容液などが基礎化粧品として市販されている。
【０００３】
一方、基礎化粧に要する時間をできるだけ短縮化できるようにするため、複数種類の化粧液と複数種類の美容液とから、所望の化粧液と美容液とを選択し、組み合わせて使用する基礎化粧品が提案されており、使用者は自身の肌質と希望するケアとを満たすような基礎化粧品を選択して使用することができるようになっている。
【発明の開示】
【発明が解決しようとする課題】
【０００４】
従来の基礎化粧品は、化粧液の種類と美容液の種類とに応じた非常に多くのものがあるため、これを販売する側から見た場合、そのための設置スペースが非常に嵩んでしまう欠点があった。
【０００５】
また、これら化粧液や美容液を収容する容器は、それぞれ独自の形状を持たせているため、持ち運びの際にかさばったり、これらを組み合わせて使用する場合においても、それぞれの容器から別々に化粧液と美容液とを取り出す必要があり、手間がかかってしまっていた。特に、化粧液の種類と美容液の種類との組み合わせによっては、経時的に化学変化するものがあるため、これらを別々に使用するか、あるいは使用直前に混ぜて使用することが望ましい。このような組み合わせの基礎化粧品を使用する場合、従来ではその取り扱いや持ち運びなどが面倒であった。
【課題を解決するための手段】
【０００６】
本発明による容器ユニットは、２つのポンプ付き容器と、これら２つのポンプ付き容器をそれぞれ取り出し可能に収容するケースとを具え、前記ポンプ付き容器は、液状物が収容される容器本体と、この容器本体に組み付けられるポンプユニットとをそれぞれ具え、このポンプユニットは、前記ケースの外に露出し、かつ前記容器本体に収容された液状物を吐出するための吐出口が形成されたポンプヘッドを有し、このポンプヘッドを押圧することによって前記容器本体に収容された液状物を前記吐出口から吐出させる容器ユニットであって、前記ポンプ付き容器は、相互に１２０度隔てて交差する３つの対称軸面を持った輪郭形状を有すると共に前記吐出口が１つの対称軸面上にあり、前記ケースは、前記２つのポンプ付き容器の各吐出口が相互に近接し、かつこれら吐出口をそれぞれ通る２つの前記対称軸面のなす角が６０度となるように、前記２つのポンプ付き容器の収容位置を規制し得る形状の内壁を有することを特徴とするものである。
【０００７】
本発明においては、使用すべき液状物が収容された２つのポンプ付き容器がケースに収容され、必要に応じて個別に別のポンプ付き容器と交換される。２つのポンプ付き容器のポンプヘッドを同時に押圧することにより、２つのポンプ付き容器の吐出口から同時に２種類の液状物が吐出される。もちろん、何れか一方のポンプ付き容器のポンプヘッドのみを押圧することにより、一方のポンプ付き容器の吐出口から必要な液状物のみ吐出させることも可能である。各ポンプ付き容器は、相互に１２０度隔てて交差する３つの対称軸面を持った輪郭形状を有するため、必要に応じてケースに対するその収容位置を一方側から他方側に変えることができる。
【０００８】
本発明による容器ユニットにおいて、液状物は水溶性のものでも油溶性のものでもよく、アルコールや水などのような低粘度のものから、流動性を持つクリーム状の高粘度のものまでを含むことができる。
【０００９】
ケースに対して収容状態にある２つのポンプ付き容器の外周面の一部が相互に接触状態にあることが好ましい。
【００１０】
ポンプヘッドの押圧面に吐出口の位置を示す目印を形成することができる。この場合、目印に滑り止めの機能を持たせることも可能である。
【００１１】
ケースに対して取り外し可能に嵌合され、ケースから突出するポンプ付き容器の露出部を覆うキャップをさらに具えることができる。
【００１２】
容器本体をこれに収容される液状物に関連付けて予め設定された色に着色し、ケースを透明または半透明の材料にて形成することが可能である。この場合、一方のポンプ付き容器に収容された液状物が使用者の肌質に応じた基礎化粧液であり、他方のポンプ付き容器に収容された液状物が基礎化粧液か、基礎化粧液中に含まれる特定成分の有効性を増大または低減させる機能調整液か、使用者の肌に対する特定のケアを目的とした美容液の何れかであってよい。
【発明の効果】
【００１３】
本発明の容器ユニットによると、ポンプ付き容器が相互に１２０度隔てて交差する３つの対称軸面を持った輪郭形状を有すると共にポンプユニットの吐出口が１つの対称軸面上にあり、２つのポンプ付き容器をそれぞれ取り出し可能に収容するケースが、２つのポンプ付き容器の各吐出口が相互に近接し、かつこれら吐出口をそれぞれ通る２つの対称軸面のなす角が６０度となるように、これらの収容位置を規制し得る形状の内壁を有するので、ケースの外に露出する２つのポンプ付き容器のポンプヘッドを同時に押圧することにより、２種類の液状物を同時に等しい量だけこれらの吐出口からほぼ同じ位置に吐出させることができる。また、必要に応じて何れか一方のポンプ付き容器のポンプヘッドのみを押圧して一方のポンプ付き容器に収容された液状物のみをその吐出口から吐出させることも可能となる。さらに、種々の液状物がそれぞれ収容された多数のポンプ付き容器のうちの任意の２つを組み合わせて選択的にケースに収容することができ、しかもポンプ付き容器に収容された液状物の残量に関係なく、必要に応じて別なポンプ付き容器をケースに対して交換することも可能である。
【００１４】
ケースに対して収容状態にある２つのポンプ付き容器の外周面の一部を相互に接触状態にした場合、ケースの外形寸法を最小限に抑えることができ、極めてコンパクトな容器ユニットにすることができる。
【００１５】
ポンプヘッドの押圧面に吐出口の位置を示す目印を形成した場合、吐出口を確認しなくともケースに対する２つのポンプ付き容器の収容位置を正しく合わせることができる。特に、目印に滑り止めの機能を持たせた場合、ケースに対するポンプ付き容器の着脱操作や、吐出口からの液状物の吐出操作を手さぐり状態でも比較的容易に行うことができる。
【００１６】
ケースに対して取り外し可能に嵌合され、ケースから突出するポンプ付き容器の露出部を覆うキャップをさらに具えた場合、携帯状態などにおいて誤ってポンプヘッドに押圧力が作用し、吐出口から液状物が吐出してしまうような事故を未然に防止することができる。
【００１７】
容器本体をこれに収容される液状物に関連付けて予め設定された色に着色し、ケースを透明または半透明の材料にて形成した場合、ケースに収容された状態の２つのポンプ付き容器に収容されている液状物が何であるかを容易に視認することができ、誤ったポンプ付き容器の使用を未然に防止することができる。特に、一方のポンプ付き容器に収容された液状物を使用者の肌質に応じた基礎化粧液とし、他方のポンプ付き容器に収容された液状物を先の基礎化粧液と同じまたは異なる基礎化粧液か、基礎化粧液中に含まれる特定成分の有効性を増大または低減させる機能調整液か、使用者の肌に対する特定のケアを目的とした美容液の何れかとした場合、クレンジングおよび洗顔後の残りの基礎化粧を使用者の肌質などに合わせて１操作で行うことができる。
【発明を実施するための最良の形態】
【００１８】
本発明による容器ユニットを基礎化粧品に応用した一実施形態について、図１〜図５を参照しながら詳細に説明するが、本発明はこれらの実施形態のみに限らず、これらをさらに組み合わせたり、特許請求の範囲に記載された本発明の概念に包含されるあらゆる変更や修正が可能であり、従って本発明の精神に帰属する他の任意の技術にも当然応用することができる。
【００１９】
本実施形態の外観を図１に示し、その正面形状を一部破断して図２に示し、その平面形状を図３に示し、個々のポンプ付き容器の内部構造を図４に示し、その平面形状を図５に示す。すなわち、本実施形態における容器ユニット１０は、２つのポンプ付き容器１１と、これら２つのポンプ付き容器１１をそれぞれ取り出し可能に収容し、透明または半透明の材料にて形成されケース１２と、このケース１２に対して取り外し可能に嵌合され、ケース１２から突出するポンプ付き容器１１の露出部を覆うキャップ１３とを具えている。キャップ１３をケース１２に対して嵌合した状態において、キャップ１３とケース１２との間に適度な摩擦力が発生し、これによってキャップ１３がケース１２から抜け外れるのを防止するようになっている。
【００２０】
個々のポンプ付き容器１１は、液状物１４が収容される容器本体１５と、この容器本体１５に組み付けられるポンプユニット１６とをそれぞれ具えており、本実施形態における一方のポンプ付き容器１１の容器本体１５には、使用者の肌質に応じた基礎化粧液が液状物１４として収容され、他方のポンプ付き容器１１の容器本体１５には、使用者の肌に対する特定のケアを目的とした美容液が液状物１４として収容されている。容器本体１５は、収容された液状物１４に関連付けて予め設定された色に着色されており、本実施形態では５種類の基礎化粧液、具体的には乾燥肌用で大きな保湿力を有するタイプ，乾燥肌用で適度な保湿力を有するタイプ，普通肌（乾燥肌と脂性肌との中間の肌質）用で軽度の保湿力および皮脂吸収力を共に有するタイプ，脂性肌用で適度な皮脂吸収力を有するタイプ，脂性肌用で大きな皮脂吸収力を有するタイプと、これら基礎化粧液中の特定成分の有効性を増大または低減させる２種類の機能調整液、具体的には保湿力向上用，保湿力低減用と、４種類の美容液、具体的にはホワイトニング用，リンクルリペア用，毛穴を引き締めて肌を滑らかに整えるキメ・毛穴用，ニキビ防止用とに応じ、合計１１種類のポンプ付き容器１１が用意され、これらポンプ付き容器１１の容器本体１５が１１種類の色に色分けされている。この場合、基礎化粧液と機能調整液と美容液との識別が容易なように、これらの容器本体をそれぞれ同系統色、例えば暖色系や寒色系などに統一することが好ましい。なお、機能調整液をそれ自体単独で使用することはできず、必ず基礎化粧液と組み合わせて使用することを意図しており、特に保湿力低減用のものは乾燥肌用の基礎化粧液と組み合わせて使用する。
【００２１】
従って、使用者は５種類の基礎化粧液と２種類の機能調整液と４種類の美容液とから自己の肌に応じて所望の基礎化粧液，機能調整液，美容液が収容されたポンプ付き容器１１を適宜選択し、これをケース１２内に収容して同時使用することができる。この場合、少なくとも一方のポンプ付き容器１１に収容された液状物１４が基礎化粧液であり、他方のポンプ付き容器１１に収容された液状物１４が一方のポンプ付き容器１１に収容された基礎化粧液と同じまたは異なる基礎化粧液であるか、機能調整液または美容液であってよく、使用者の希望や使用形態に応じて自由に選択可能である。また、ケース１２に収容された状態の２つのポンプ付き容器１１に収容されている液状物１４が何であるかをケース１２を通した容器本体１５の色から容易に視認することができ、誤ったポンプ付き容器１１の使用を未然に防止することができる。さらに、これらの使用途中であっても、必要に応じて別な基礎化粧液や機能調整液または美容液が収容されたポンプ付き容器１１と交換して使用することが可能である。もちろん、使用中の一方のポンプ付き容器１１の中身が先になくなった場合には、新たなポンプ付き容器１１を買い足すことにより、最後まで無駄なく使用することができる。
【００２２】
なお、容器本体１５に収容される液状物が何らかの色を有する場合やあらかじめ着色しておいた場合には、容器本体１５を着色する必要はなく、これを透明にしておくことも有効である。
【００２３】
ポンプユニット１６は、ケース１２の外に露出すると共に容器本体１５に収容された液状物１４を吐出するための吐出口１７が形成されたポンプヘッド１８を有し、このポンプヘッド１８を押圧することによって容器本体１５に収容された液状物１４を吐出口１７から吐出させることができるようになっており、従来から周知のものを採用することができる。より具体的には、ポンプヘッド１８を戻しばね１９のばね力に抗して押圧すると、ポンプヘッド１８と一体のステム２０およびピストンガイド２１がピストンガイド２１に摩擦力で保持された弁棒２２と共に下降し始め、まずピストン２３によって塞がれていたピストンガイド２１の連通穴２４が開放されると共にステム２０の下端がピストン２３に当接し、さらに弁棒２２の下端がシリンダ２５の開口部２６に押し当たってこれをシールし、弁棒２２の下降が止まる。この状態からさらにポンプヘッド１８と共にステム２０，ピストンガイド２１が下降すると、ピストン２３もこれと一体的に下降し始め、ピストン２３により塞がれていたシリンダ２５の上部の通気穴２７が開放される一方、シリンダ２５内が加圧されてシリンダ２５内に介在する液状物１４が連通穴２４からピストンガイド２１，ステム２０を通り、ポンプヘッド１８の吐出口１７から吐出されることとなる。ポンプヘッド１８に対する押圧力を解除すると、戻しばね１９のばね力によって、まずポンプヘッド１８，ステム２０，ピストンガイド２１およびこのピストンガイド２１に保持された弁棒２２が上昇に転じ、連通穴２４がピストン２３によって塞がれると共に弁棒２２の下端でシールされていたシリンダ２５の開口部２６が開放され、容器本体１５内の液状物１４がシリンダ２５の開口部２６からシリンダ２５内に吸い込まれ始める。これは、その後、ピストンガイド２１と共にピストン２３が上昇する間、続く。シリンダ２５内への液状物１４の吸引に伴い、容器本体１５内が減圧状態となるが、容器本体１５内を塞ぐねじキャップ２８とステム２０との間の隙間から外気がシリンダ２５の通気穴２７を介して容器本体１５内に導かれ、容器本体１５内は大気圧に保持される。
【００２４】
なお、ポンプヘッド１８の昇降動作を案内すると共に意匠上の観点から、本実施形態では容器本体１１の輪郭形状とほぼ同じ輪郭形状を持つ段付きのカバースリーブ２９が容器本体１１の上端部に形成された嵌合溝３０に嵌め合わされ、ねじキャップ２８などが外側から見えないように覆っている。
【００２５】
図５に示すように、個々のポンプ付き容器１１は、相互に１２０度隔てて交差する３つの対称軸面３１〜３３を持った略正三角柱状の輪郭形状を有すると共に吐出口１７が１つの対称軸面３１上に存在するように設定されている。また、ケース１２は、２つのポンプ付き容器１１の各吐出口１７が相互に近接し、かつこれら吐出口１７をそれぞれ通る２つの対称軸面３１のなす角が６０度となるように、２つのポンプ付き容器１１の収容位置を規制し得る略楕円形状の内壁３４を有し、２つのポンプ付き容器１１を収容した状態において、これら２つのポンプ付き容器１１がケース１２内で回転してしまうような遊びのないことが必要であり、ケース１２に収容状態にある２つのポンプ付き容器１１の外周面の一部が相互に接触状態にあることがケース１２の外寸を最小限に抑える観点から好ましい。
【００２６】
なお、ポンプ付き容器１１の輪郭形状は、本実施形態のようなすべて曲面で形成されたものである必要はなく、特許請求の範囲に記載された要件を満たすような輪郭形状でありさえすれば良い。
【００２７】
ポンプヘッド１８の上面には、このポンプヘッド１８を押圧する際の滑り止めとして機能する半球状の突起３５が複数形成されており、本実施形態における突起３５は、吐出口１７を含む対称軸面３１に対して対称となるように、ポンプヘッド１８の外周縁部に沿ってそれぞれ配されている。これら突起３５の存在により、吐出口１７の位置を確認することも可能であり、これらの突起３５を吐出口１７の位置を示す目印とし機能させることができる。これらの突起３５に代えて窪みをポンプヘッド１８に形成することも当然可能である。
【００２８】
このように、ポンプ付き容器１１は、ケース１２に対して吐出口１７の向きを３つ選択することが可能であるので、２種類のポンプ付き容器１１の同時使用を意図した場合には、２つのポンプ付き容器１１の各吐出口１７が相互に近接するように、ケース１２に対する収容姿勢を設定する必要がある。この時、上述した突起３５の位置を確認ながら２つのポンプ付き容器１１をケース１２に対して正確に収容させることができる。
【００２９】
従って、ケース１２の外に露出する２つのポンプ付き容器１１のポンプヘッド１８を同時に押圧することにより、基礎化粧液と基礎化粧液または機能調整液または美容液とを同時に等しい量だけこれらの吐出口１７からほぼ同じ位置に吐出させることができる。また、必要に応じて何れか一方のポンプ付き容器１１のポンプヘッド１８のみを押圧して一方のポンプ付き容器１１に収容された基礎化粧液または美容液のみをその吐出口１７から吐出させることも可能となる。
【図面の簡単な説明】
【００３０】
【図１】本発明による容器ユニットの外観を分解状態で表す立体投影図である。
【図２】図１に示した容器ユニットの破断正面図であり、キャップを取り外した状態を示す。
【図３】図１に示した容器ユニットの平面図であり、キャップを取り外した状態を示す。
【図４】図１に示したポンプ付き容器の内部構造を表す断面図である。
【図５】図４に示したポンプ付き容器の平面図である。
【符号の説明】
【００３１】
１０  容器ユニット
１１  ポンプ付き容器
１２  ケース
１３  キャップ
１４  液状物
１５  容器本体
１６  ポンプユニット
１７  吐出口
１８  ポンプヘッド
１９  戻しばね
２０  ステム
２１  ピストンガイド
２２  弁棒
２３  ピストン
２４  連通穴
２５  シリンダ
２６  開口部
２７  通気穴
２８  ねじキャップ
２９  カバースリーブ
３０  嵌合溝
３１〜３３  対称軸面
３４  内壁
３５  突起
【要約】
【課題】  複数種類の化粧液と複数種類の美容液とを選択的に組み合わせて使用するのに都合の良い容器ユニットがなかった。
【解決手段】  液状物が収容される容器本体１５およびこの容器本体１５に組み付けられるポンプユニット１６を有する２つのポンプ付き容器１１と、これらポンプ付き容器１１を取り出し可能に収容するケース１２とを具えた容器ユニット１０であって、ポンプ付き容器１１は、相互に１２０度隔てて交差する３つの対称軸面を持った輪郭形状を有すると共に外部に露出するポンプユニット１６のポンプヘッド１８に形成された吐出口１７が１つの対称軸面上にあり、ケース１２は、２つのポンプ付き容器１１の各吐出口１７が相互に近接し、かつこれら吐出口１７をそれぞれ通る２つの対称軸面のなす角が６０度となるように、ポンプ付き容器１１の収容位置を規制し得る形状の内壁３４を有する。
【選択図】  図１
【図１】
0003679106.tif 000002
【図２】
0003679106.tif 000003
【図３】
0003679106.tif 000004
【図４】
0003679106.tif 000005
【図５】
0003679106.tif 000006